(57)【要約】【課題】傘を閉じた場合に嵩張ることなく、しかも傘を容易に開くことができる自動巻込み式傘を提供すること。【解決手段】親骨１，１間で、閉じた際に内側に位置する布地端２ａに、該布地端に沿って内方に湾曲する長尺の板ばね３を添設するとともに、該板ばねの端部３ａを親骨端に係止し、閉じる際に、前記板ばねによって、布地を中棒４の周囲に巻込むようにするとともに、前記板ばねの基部３ａの弾性力を他の部分に対して強くしたことを特徴とする。【選択図】        図１
2010099422.tif 000002
【特許請求の範囲】
【請求項１】
親骨間で、閉じた際に内側に位置する布地端に、該布地端に沿って内方に湾曲する長尺の弾性体を添設するとともに、該弾性体の端部を親骨端に係止し、閉じる際に、前記弾性体によって、布地を中棒の周囲に巻込むようにするとともに、前記弾性体の基部の弾性力を他の部分に対して強くしたことを特徴とする自動巻込み式傘。
【請求項２】
前記弾性体の基部の厚みを、他の部分の厚みよりも厚くすることによって、前記弾性体の基部の弾性力を強くしたことを特徴とする請求項１に記載の自動巻込み式傘。
【請求項３】
前記弾性体の基部の幅を、他の部分の幅よりも広くすることによって、前記弾性体の基部の弾性力を強くしたことを特徴とする請求項１に記載の自動巻込み式傘。
【請求項４】
前記弾性体の基部を、捩じりコイルばねを備えたヒンジを介して親骨の端部に固定することによって、前記弾性体の基部の弾性力を強くしたことを特徴とする請求項１に記載の自動巻込み式傘。
【請求項５】
前記弾性体の基部を波状に形成し、その端部を親骨の端部に固設することによって、前記弾性体の基部の弾性力を強くしたことを特徴とする請求項１に記載の自動巻込み式傘。
【発明の詳細な説明】
【技術分野】
【０００１】
本発明は、自動巻込み式傘に関するもので、布地端に添設した長尺の弾性体（板ばね）によって布地を自動的に巻込むようにした自動巻込み式傘に関するものである。
【背景技術】
【０００２】
布地端に添設した長尺の板ばねによって布地を自動的に巻込むようにした自動巻込み式傘はある（例えば、特許文献１）。
この特許文献１の傘は、中央部で折返し、それぞれの半部を渦巻き状に湾曲させて成る長尺の板ばねを使用し、その板ばねの両端を親骨の端部に係止させたものである。そして、この傘では、傘を閉じると、各親骨間の布地端は、板ばねによってそれぞれ渦巻き状に巻かれる。
【０００３】
【特許文献１】特許２０００−６０６１７号公報（図１乃至図４参照）
【発明の開示】
【発明が解決しようとする課題】
【０００４】
ここで、上記特許文献１に記載された傘では、板ばねが親骨間の布地端中間点を折返し支点部として、各半部が親骨にそれぞれ配設され、かつ、それぞれの半部が内方に向けて湾曲形成されているので、傘を閉じた場合に、該公報の図３（イ）に示されているように親骨間の各布地がそれぞれ渦状に巻込まれることになる。即ち、例えば、親骨が８本の場合に、８つの渦巻きができるために、嵩張ってしまう。
【０００５】
また、傘を開く際には、それらの板ばねに付与されている付勢力に抗して開かなくてはならないため、それだけ労力を必要する。
【０００６】
本発明は、上記した背景技術が有する問題点に鑑みて、傘を閉じた場合に嵩張ることなく、しかも傘を容易に開くことができる自動巻込み式傘を提供することを目的とする。
【課題を解決するための手段】
【０００７】
上記した目的を達成するため、請求項１の自動巻込み式傘は、親骨間で、閉じた際に内側に位置する布地端に、該布地端に沿って内方に湾曲する長尺の弾性体を添設するとともに、該弾性体の端部を親骨端に係止し、閉じる際に、前記弾性体によって、布地を中棒の周囲に巻込むようにするとともに、前記弾性体の基部の弾性力を他の部分に対して強くしたことを特徴とする。
【０００８】
また、請求項２の自動巻込み式傘は、上記請求項１に記載の発明において、前記弾性体の基部の厚みを、他の部分の厚みよりも厚くすることによって、前記弾性体の基部の弾性力を強くしたことを特徴とする。
【０００９】
また、請求項３の自動巻込み式傘は、上記請求項１に記載の発明において、前記弾性体の基部の幅を、他の部分の幅よりも広くすることによって、前記弾性体の基部の弾性力を強くしたことを特徴とする。
【００１０】
また、請求項４の自動巻込み式傘は、上記請求項１に記載の発明において、前記弾性体の基部を、捩じりコイルばねを備えたヒンジを介して親骨の端部に固定することによって、前記弾性体の基部の弾性力を強くしたことを特徴とする。
【００１１】
また、請求項５の自動巻込み式傘は、上記請求項１に記載の発明において、前記弾性体の基部を波（Ｍ字）状に形成し、その端部を親骨の端部に固設することによって、前記弾性体の基部の弾性力を強くしたことを特徴とする。
【発明の効果】
【００１２】
上記した本発明によれば、傘を閉じる際に、隣合う親骨間の布地端の１／２部分は、弾性体の付勢力によって、中棒を中心とするように巻込まれ、それに伴って布地端の他の１／２部分が追従するように巻込まれる。したがって、傘の布地は、全体的に中棒を中心として巻込まれるので、嵩張ることはなく、また、弾性体の基部の弾性力が強いため、弾性体は、布地を迅速に、かつ、確実に巻込み、弾性体の他の部分の弾性力を弱くしているので、傘を開く際には、あまり労力を必要としない。
【発明を実施するための最良の形態】
【００１３】
以下に、上記した本発明に係る自動巻込み式傘の実施の形態を、図面を参照しながら詳細に説明する。
【００１４】
図１は本発明に係る自動巻込み式傘を示した斜視図、図２は弾性体の基部を親骨に固定した状態を示した斜視図、図３は弾性体の基部の形状を示した部分拡大斜視図、図４は傘の開き具合に応じた布地端の状態を同一図に描いた底面図、図５は傘を閉じた状態を模式的に示した底面図である。
【００１５】
この傘では、親骨１，１間に張設された布地２において、傘を閉じた際に内側に位置する布地端２ａ、即ち、布地端全長の略１／２の布地端に、布地端２ａに沿って内方に湾曲する長尺の弾性体としての板ばね３を添設する。例えば、布地端２ａを袋状に縫製し、そこに板ばね３を収容させるとともに、図２に示すように、板ばね３の基部３ａを親骨１の端部１ａに係止している。そして、この板ばね３では、その基部３ａの弾力性が他の部分３ｂに対して強くなるようにしている。
【００１６】
板ばね３の基部３ａの弾力性を強くする方法としては、例えば、図３（ａ）に示すように、板ばね３の基部３ａの板厚ａを、他の部分の板厚ｂよりも厚くしたり、基部３ａの幅ｃを、他の部分の幅ｄよりも広くしたりすることが挙げられる。
【００１７】
この傘では、開くにしたがって、図４に示すように、布地２が板ばね３の付勢力に抗し開かれる。また、傘を閉じる際には、傘が窄められるにしたがって、板ばね３によって布地端２ａが丸められ、他の布地端２ｂが引張られた状態になる。そして、遂には、図５に拡大して示すように、布地２は中棒４の周りに巻込まれる。なお、図５では、布地２が巻込まれた状態を模式的に描いているが、実際には、各板ばね３は斜めに巻かれるので、布地２は互いに隙間なく巻込まれる。
【００１８】
なお、板ばね３の基部３ａの弾性力を他の部分３ｂよりも強くする他の方法としては、図６に示すように、板ばね３の基部３ａを捩じりコイルばね５を備えたヒンジ６によって親骨１の端部１ａに固定することが挙げられる。
【００１９】
この場合には、傘が閉じられた状態にあっては、捩じりコイルばね５の付勢力によって板ばね３の基部３ａが、図７（ａ）に示すように、親骨１の端部１ａに圧接された状態に保持され、板ばね３の他の部分３ｂの付勢力によって、布地２が巻込まれ。
そして、傘を開くと、図７（ｂ）に示すように、捩じりコイルばね５の付勢力に抗してヒンジ６の一片６ａが開かれ、布地端２ａ，２ｂが張られる。
【００２０】
さらに、板ばね３の基部３ａの弾性力を他の部分３ｂよりも強くする他の方法としては、図８に示すように、板ばね３の基部３ａを波状、この実施の形態ではＭ字状に折り畳み、一端部を親骨１の端部１ａに固定することが挙げられる。
【００２１】
この場合には、傘が閉じられた状態にあっては、Ｍ字状に形成した板ばね３の付勢力によって板ばね３の基部３ａが、図９（ａ）に示すように、親骨１の端部１ａに圧接された状態に保持され、板ばね３の他の部分３ｂの付勢力によって、布地２が巻込まれる。
そして、傘を開くと、図９（ｂ）に示すように、板ばね３の基部３ａがその付勢力に抗して反対方向にたわめられ、布地端２ａ，２ｂが張られる。
【００２２】
なお、上記実施の形態では、長尺の弾性体として板ばね３を示したが、板ばねに替えて弾性（剛性）を有するワイヤーであってもよい。
【００２３】
以上、本発明に係る自動巻込み式傘の実施の形態を説明したが、本発明は、何ら既述の実施の形態に限定されるものではなく、特許請求の範囲に記載した本発明の技術的思想の範囲内において、更に種々の変形及び変更が可能であることは当然である。
【図面の簡単な説明】
【００２４】
【図１】本発明に係る自動巻込み式傘を示した斜視図である。
【図２】板ばねの基部を親骨に固定した状態を示した斜視図である。
【図３】板ばねの基部の形状を示した部分拡大斜視図で（ａ）は基部の厚みを他の部分よりも厚くしたもの、（ｂ）は基部の幅を他の部分よりも広くしたものを示している。
【図４】傘の開き具合に応じた布地端の状態を同一図に描いた底面図である。
【図５】傘を閉じた状態を模式的に示した底面図である。
【図６】板ばねの基部を親骨に固定する他の実施形態を示した斜視図である。
【図７】図６の板ばねの態様を示した断面図で、（ａ）は傘が閉じているときの状態を示し、（ｂ）は傘が開いたときの状態を示している。
【図８】板ばねの基部を親骨に固定するさらに他の実施形態を示した斜視図である。
【図９】図８の板ばねの態様を示した断面図で、（ａ）は傘が閉じているときの状態を示し、（ｂ）は傘が開いたときの状態を示している。
【符号の説明】
【００２５】
１    親骨
１ａ  端部
２    布地
２ａ，２ｂ  布地端
３    板ばね
３ａ  板ばねの基部
３ｂ  板ばねの他の部分
４    中棒
５    捩じりコイルばね
６    ヒンジ
【図１】
2010099422.tif 000003
【図２】
2010099422.tif 000004
【図３】
2010099422.tif 000005
【図４】
2010099422.tif 000006
【図５】
2010099422.tif 000007
【図６】
2010099422.tif 000008
【図７】
2010099422.tif 000009
【図８】
2010099422.tif 000010
【図９】
2010099422.tif 000011